(57)【特許請求の範囲】
【請求項１】
複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、
前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置と、
前記複数のスイッチ装置と前記中継装置とを制御する制御装置とをそなえ、
前記制御装置が、
前記の各スイッチ装置における複数のスイッチ側ポートの使用状況をそれぞれ監視するポート監視部と、
前記ポート監視部による監視結果に基づき、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御するポート割当制御部と、
前記ポート割当制御部による前記切り替え制御により前記複数のスイッチ側ポートのいずれもが未使用となった前記少なくとも１つのスイッチ装置への電力供給を停止する電力制御部とをそなえ、
前記ポート割当制御部が、
前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、
ことを特徴とする、制御システム。
【請求項２】
複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置とをそなえた複合スイッチ装置を制御する制御装置であって、
前記の各スイッチ装置における複数のスイッチ側ポートの使用状況をそれぞれ監視するポート監視部と、
前記ポート監視部による監視結果に基づき、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御するポート割当制御部と、
前記ポート割当制御部による前記切り替え制御により前記複数のスイッチ側ポートのいずれもが未使用となった前記少なくとも１つのスイッチ装置への電力供給を停止する電力制御部とをそなえ、
前記ポート割当制御部が、
前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、
ことを特徴とする、制御装置。
【請求項３】
前記ポート割当制御部が、
前記の各スイッチ装置における複数のスイッチ側ポートのうち使用中のポートに前記第１のポート群中のポートを経由して接続される前記第２のポート群中のポートが、前記複数のスイッチ装置のうち前記少なくとも１つのスイッチ装置とは異なる他のスイッチ装置にまとめて接続されるように前記中継装置における第２のポート群と第１のポート群との接続を切り替え制御する、
ことを特徴とする、請求項２記載の制御装置。
【請求項４】
前記ポート監視部が、
前記監視用ポートの使用状況を監視し、当該監視結果に基づき、前記監視用ポートに前記第１のポート群中のポートを経由して接続される前記第２のポート群中のポートの使用開始を検出すると、
前記ポート割当制御部が、
前記使用開始されたポートが前記他のスイッチ装置のいずれかのスイッチ側ポートへ接続されるように前記中継装置における第２のポート群と第１のポート群との接続を切り替え制御する、
ことを特徴とする、請求項２記載の制御装置。
【請求項５】
前記ポート監視部が、
前記監視用ポートの使用状況を監視し、当該監視結果に基づき、前記監視用ポートに前記第１のポート群中のポートを経由して接続される前記第２のポート群中のポートの使用開始を検出すると、
前記電力制御部が、
前記電力供給を停止した前記少なくとも１つのスイッチ装置への電力供給を開始し、
前記ポート割当制御部が、
前記使用開始されたポートが前記電力供給を開始された少なくとも１つのスイッチ装置のいずれかのスイッチ側ポートへ接続されるように前記中継装置における第２のポート群と第１のポート群との接続を切り替え制御する、
ことを特徴とする、請求項２記載の制御装置。
【請求項６】
前記ポート割当制御部が、
前記中継装置における第２のポート群と第１のポート群との接続を切り替え制御する際、前記スイッチ装置が有する、前記スイッチ側ポートと前記宛先情報との対応付けに関する情報を消去する、
ことを特徴とする、請求項２〜５のいずれか１項に記載の制御装置。
【請求項７】
複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、
前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置とをそなえ、
前記中継装置が、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御し、
前記切り替え制御により前記複数のスイッチ側ポートのいずれもが未使用となった前記少なくとも１つのスイッチ装置が、電力供給を停止され、
前記中継装置が、前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、
ことを特徴とする、複合スイッチ装置。
【請求項８】
複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、
前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置と、
前記複数のスイッチ装置と前記中継装置とを制御する制御装置とをそなえた制御システムにおいて、
前記制御装置が、
前記の各スイッチ装置における複数のスイッチ側ポートの使用状況をそれぞれ監視し、
前記監視結果に基づき、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御し、
前記切り替え制御により前記複数のスイッチ側ポートのいずれもが未使用となった前記少なくとも１つのスイッチ装置への電力供給を停止し、
前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、
ことを特徴とする、制御方法。
【請求項９】
複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、
前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置とをそなえた制御システムにおいて、
前記中継装置が、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御し、
前記切り替え制御により前記複数のスイッチ側ポートのいずれもが未使用となった前記少なくとも１つのスイッチ装置が、電力供給を停止され、
前記中継装置が、前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、
ことを特徴とする、制御方法。
【発明の詳細な説明】
【技術分野】
【０００１】
本発明は、制御システム、制御装置、複合スイッチ装置及び制御方法に関する。
【背景技術】
【０００２】
ＬＡＮなどの通信ネットワークにおいて、受信したデータを、当該データのヘッダ部分に設定されたＭＡＣ（Media Access Control）アドレスなどの宛先情報に応じたポートへ中継するＬＡＮスイッチが知られている。
また、ＬＡＮスイッチに関し、例えば、複数系統の通信制御手段に接続される複数のポートのうち、データ入力が検出されたポートをまとめて一つの系統の通信制御手段に接続し、残りの系統の通信制御手段への電力供給を停止する技術がある（下記特許文献１）。
【先行技術文献】
【特許文献】
【０００３】
【特許文献１】特開２０００−２５３０３５号
【発明の概要】
【発明が解決しようとする課題】
【０００４】
しかしながら、上述した技術では、ＬＡＮスイッチが有する構成の一部への電力供給を停止できるに留まるため、より大幅な消費電力の削減を図ることができない場合がある。
そこで、本発明は、システムの消費電力を削減することを目的の１つとする。
【課題を解決するための手段】
【０００５】
（１）第１の案として、複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置と、前記複数のスイッチ装置と前記中継装置とを制御する制御装置とをそなえ、前記制御装置が、前記の各スイッチ装置における複数のスイッチ側ポートの使用状況をそれぞれ監視するポート監視部と、前記ポート監視部による監視結果に基づき、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御するポート割当制御部と、前記ポート割当制御部による前記切り替え制御により前記複数のスイッチ側ポートのいずれもが未使用となった前記少なくとも１つのスイッチ装置への電力供給を停止する電力制御部とをそなえ、前記ポート割当制御部が、前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、制御システムを用いることができる。
【０００６】
（２）また、第２の案として、複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置とをそなえた複合スイ
ッチ装置を制御する制御装置であって、前記の各スイッチ装置における複数のスイッチ側ポートの使用状況をそれぞれ監視するポート監視部と、前記ポート監視部による監視結果に基づき、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御するポート割当制御部と、前記ポート割当制御部による前記切り替え制御により前記複数のスイッチ側ポートのいずれもが未使用となった前記少なくとも１つのスイッチ装置への電力供給を停止する電力制御部とをそなえ、前記ポート割当制御部が、前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、制御装置を用いることができる。
【０００７】
（３）さらに、第３の案として、複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置とをそなえ、前記中継装置が、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御し、前記切り替え制御により前記複数のスイッチ側ポートのいずれもが未使用となった前記少なくとも１つのスイッチ装置が、電力供給を停止され、前記中継装置が、前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、複合スイッチ装置を用いることができる。
【０００８】
（４）また、第４の案として、複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置と、前記複数のスイッチ装置と前記中継装置とを制御する制御装置とをそなえた制御システムにおいて、前記制御装置が、前記の各スイッチ装置における複数のスイッチ側ポートの使用状況をそれぞれ監視し、前記監視結果に基づき、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御し、前記切り替え制御により前記複数のスイッチ側ポートのいずれもが未使用となった前記少なくとも１つのスイッチ装置への電力供給を停止し、前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、制御方法を用いることができる。
【０００９】
（５）さらに、第５の案として、複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置とをそなえた制御システムにおいて、前記中継装置が、前記中継装置が、前記の各スイッチ装置における複数
のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御し、前記切り替え制御により前記複数のスイッチ側ポートのいずれもが未使用となった前記少なくとも１つのスイッチ装置が、電力供給を停止され、前記中継装置が、前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、制御方法を用いることができる。
【発明の効果】
【００１０】
システムの消費電力を削減することができる。
【図面の簡単な説明】
【００１１】
【図１】本制御システムの一実施形態を含むネットワークの一例を示す図である。
【図２】図１に示す複合スイッチ装置の構成の一例を示す図である。
【図３】図１に示す制御装置の構成の一例を示す図である。
【図４】本制御システムの一実施形態を含むネットワークの一例を示す図である。
【図５】図４に示す制御システムにおけるポート状態情報の一例を示す図である。
【図６】図４に示す制御システムにおける複合スイッチ装置情報の一例を示す図である。
【図７】図４に示す制御システムにおける複合スイッチ装置情報の一例を示す図である。
【図８】図４に示す制御システムにおけるポート割当情報の一例を示す図である。
【図９】図４に示す制御システムにおけるポート割当情報の一例を示す図である。
【図１０】本制御システムの一実施形態を含むネットワークの一例を示す図である。
【図１１】図１０に示す制御システムにおけるポート状態情報の一例を示す図である。
【図１２】ポート割当変更処理の一例を示すフローチャートである。
【図１３】図１０に示す制御システムにおける複合スイッチ装置情報の一例を示す図である。
【図１４】図１３に示す複合スイッチ装置情報の抽出例を示す図である。
【図１５】ポート割当変更処理の前後におけるポート割当情報の一例を示す図である。
【図１６】ポート割当変更処理後の接続状態の一例を示す図である。
【図１７】ポート状態情報の一例を示す図である。
【図１８】複合スイッチ装置情報の抽出例を示す図である。
【図１９】電力供給停止後の状態の一例を示す図である。
【図２０】監視用ポート作成処理の一例を示すフローチャートである。
【図２１】ポート割当変更処理の前後におけるポート割当情報の一例を示す図である。
【図２２】ポート状態情報の一例を示す図である。
【図２３】図２０に示す処理後の接続状態の一例を示す図である。
【図２４】端末再稼動時のポート割当変更処理の一例を示すフローチャートである。
【図２５】ポート割当変更処理の前後におけるポート割当情報の一例を示す図である。
【図２６】図２４に示す処理後の接続状態の一例を示す図である。
【発明を実施するための形態】
【００１２】
以下、図面を参照して実施形態を説明する。ただし、以下に示す実施形態は、あくまでも例示に過ぎず、以下に示す実施形態で明示しない種々の変形や技術の適用を排除する意図はない。即ち、以下に示す実施形態を、その趣旨を逸脱しない範囲で種々変形（各実施形態及び各変形例を組み合わせる等）して実施することができる。
〔１〕一実施形態
（１．１）制御システムの構成例
図１は一実施形態に係る制御システム２０を含むネットワークの構成の一例を示す図である。
【００１３】
この図１に示すネットワークは、例示的に、制御装置１と複合スイッチ装置２−１〜２−３とを有する制御システム２０と、端末５−１〜５−９とをそなえる。なお、制御システム２０は、少なくとも１つの複合スイッチ装置２−１が、制御装置１と接続された構成であってもよい。
この図１に示す例では、制御装置１，複合スイッチ装置２−２及び２−３が、複合スイッチ装置２−１を介して相互に接続される。また、端末５−１〜５−５が、複合スイッチ装置２−２に接続されるとともに、端末５−６〜５−９が、複合スイッチ装置２−３に接続される。
【００１４】
なお、図１に示すネットワークの構成はあくまでも一例であり、図１に示すようなツリー型のほか、例えば、リング型，メッシュ型，スター型，バス型あるいはこれらを適宜組み合わせたネットワーク構成をとることもできる。
ここで、複合スイッチ装置２−１は、複数の入出力ポートを有し、ある入出力ポートから入力されたデータをいずれかの入出力ポートへ中継する。
【００１５】
このため、複合スイッチ装置２−１は、例えば、複数のスイッチ装置３−１，３−２と、前記複数のスイッチ装置３−１，３−２と前記入出力ポートとの間でデータを中継する中継（リレー）装置４−１とをそなえる。
スイッチ装置３−１，３−２は、複数のスイッチ側ポートと、通信処理部とをそれぞれそなえる。通信処理部は、複数のスイッチ側ポートのいずれかに入力されるデータを、当該データに設定された宛先情報に基づいて、複数のスイッチ側ポートのいずれかへ中継する。また、スイッチ装置３−１，３−２は、例えば、電源などから供給される電力で作動する。なお、前記宛先情報は、例えば、データに設定されるＭＡＣアドレス情報や、ＩＰ（Internet Protocol）アドレス、端末識別情報などであってもよい。また、上記通信処理部は、ＬＳＩ（Large Scale Integration）などにより構成されるスイッチ回路であってもよい。
【００１６】
また、リレー装置４−１は、各スイッチ装置３−１，３−２における複数のスイッチ側ポートとそれぞれ接続される第１のポート群と、第１のポート群と選択的に接続される第２のポート群とを有し、第２のポート群中のいずれかのポートに入力された前記データを第１のポート群中のいずれかのポートへ中継する。なお、リレー装置４−１も、例えば、電源などから供給される電力で作動することができる。
【００１７】
例えば、リレー装置４−１は、第２のポート群中のいずれかのポートに入力されたデータを、第１のポート群中のいずれかのポートへ中継する。なお、上記第２のポート群は、例えば、複合スイッチ装置２−１の入出力ポートとして機能してもよい。また、リレー装置４−１は、例えば、第１のポート群と第２のポート群との接続を切り替える接続切替部（図１中、黒塗り四角部分）をそなえていてもよい。
【００１８】
そして、スイッチ装置３−１，３−２の各スイッチ側ポートは、リレー装置４−１が各スイッチ装置３−１，３−２側に有する第１のポート群とそれぞれ接続される。
以上により、リレー装置４−１は、第２のポート群のいずれかにデータが入力されると、第１のポート群を介して、当該データをスイッチ装置３−１，３−２へ中継することができる。
【００１９】
また、スイッチ装置３−１，３−２は、スイッチ側ポートによりリレー装置４−１からのデータを受信し、当該データに設定された宛先情報に基づいて、いずれかのスイッチ側ポートへデータを中継する。
さらに、リレー装置４−１は、第１のポート群のいずれかによりスイッチ装置３−１，３−２から受信したデータを、第１のポート群のいずれかのポートと選択的に接続される第２のポート群のいずれかのポートへ中継する。
【００２０】
これにより、複合スイッチ装置２−１は、入出力ポートに入力されたデータを、当該データに設定された宛先情報に応じて、いずれかの入出力ポートへ中継することができる。その結果、複合スイッチ装置２−１は、他の複合スイッチ装置２−２，２−３，制御装置１，端末５−１〜５−９などとの間でデータを送受信することができる。
なお、端末５−１〜５−９は、データを送受信する伝送装置である。端末５−１〜５−９には、例えば、固定端末や携帯端末などのユーザ装置、基地局装置などのキャリア装置、あるいはブリッジやルータなどのネットワーク機器が含まれる。
【００２１】
また、複合スイッチ装置２−２は、スイッチ装置３−１，３−２と同様の機能を有するスイッチ装置３−３，３−４と、リレー装置４−１と同様の機能を有するリレー装置４−２とをそなえる。これにより、複合スイッチ装置２−２は、複合スイッチ装置２−１と同様の機能を有する。
さらに、複合スイッチ装置２−３は、スイッチ装置３−１〜３−４と同様の機能を有するスイッチ装置３−５，３−６と、リレー装置４−１，４−２と同様の機能を有するリレー装置４−３とをそなえる。これにより、複合スイッチ装置２−３は、複合スイッチ装置２−１，２−２と同様の機能を有する。
【００２２】
なお、以下では、複合スイッチ装置２−１〜２−３を区別しない場合、単に複合スイッチ装置２と表記することがあり、スイッチ装置３−１〜３−６を区別しない場合、単にスイッチ装置３と表記することがある。さらに、リレー装置４−１〜４−３を区別しない場合、単にリレー装置４と表記することがあり、端末５−１〜５−９を区別しない場合、端末５と表記することがある。また、以下では、スイッチ装置３を「ＳＷ３」と表記する場合があり、リレー装置４を「Ｒ４」と表記する場合がある。
【００２３】
加えて、複合スイッチ装置２，ＳＷ３，Ｒ４及び端末５の数は、それぞれ、図１に例示する数に限定されないことはいうまでもない。
（１．２）複合スイッチ装置２の構成例
次に、複合スイッチ装置２の構成例について図２を用いて説明する。複合スイッチ装置２−１〜２−３の各構成は同様であるので、ここでは一例として複合スイッチ装置２−１について説明する。
【００２４】
前述のように、複合スイッチ装置２−１は、複数のＳＷ３−１，３−２と、Ｒ４−１とをそなえる。
また、ＳＷ３−１，３−２は、例えば、複数のスイッチ側ポート「０」〜「３」と、複数のスイッチ側ポート「０」〜「３」のいずれかに入力されるデータを、当該データに設定された宛先情報に基づいて、複数のスイッチ側ポート「０」〜「３」のいずれかへ中継する通信処理部１５−１，１５−２とをそれぞれそなえる。
【００２５】
ここで、前記スイッチ側ポート「０」〜「３」及び通信処理部１５−１，１５−２は、例えば、電源１６から供給される電力でそれぞれ駆動することができる。
電源１６は、ＳＷ３が有する、複数のスイッチ側ポート「０」〜「３」及び通信処理部１５−１，１５−２などに駆動用の電力を供給する。電源１６は、例えば、複合スイッチ装置２−１の外部に設けられてもよいし、内部に設けられてもよい。また、電源１６は、複数のＳＷ３で共用であってもよいし、ＳＷ３毎に個別に設けられてもよい。
【００２６】
また、Ｒ４−１は、各ＳＷ３における複数のスイッチ側ポート「０」〜「３」とそれぞれ接続される第１のポート群「Ａ０」〜「Ａ６」と、第１のポート群「Ａ０」〜「Ａ６」と選択的に接続される第２のポート群「Ｂ０」〜「Ｂ６」とを有し、第２のポート群「Ｂ０」〜「Ｂ６」のいずれかのポートに入力されたデータを第１のポート群「Ａ０」〜「Ａ６」のいずれかのポートへ中継する。
【００２７】
そのため、Ｒ４−１は、例えば、第１のポート群「Ａ０」〜「Ａ６」と第２のポート群「Ｂ０」〜「Ｂ６」との接続を切り替え処理する接続切替部１２（図２中、黒塗り四角部分）をそなえていてもよい。
なお、Ｒ４−１には、ラッチングリレー回路を用いるようにしてもよい。
ここで、図２に示す例では、ＳＷ３−１のスイッチ側ポート「０」，「１」，「２」，「３」と、Ｒ４−１のポート「Ａ０」，接続切替部１２，ポート「Ａ１」，「Ａ２」とが接続される。
【００２８】
また、ＳＷ３−２のスイッチ側ポート「０」，「１」，「２」，「３」と、Ｒ４−１のポート「Ａ３」，「Ａ４」，「Ａ５」，「Ａ６」とが接続される。
さらに、Ｒ４−１では、ポート「Ａ１」，「Ａ２」，「Ａ４」，「Ａ５」，「Ａ６」と、ポート「Ｂ１」，「Ｂ２」，「Ｂ４」，「Ｂ５」，「Ｂ６」とが接続されており、ポート「Ａ０」及び「Ａ３」とポート「Ｂ０」とが接続される。
【００２９】
そして、第２のポート群「Ｂ０」〜「Ｂ６」は、例えば、制御装置１，他の複合スイッチ装置２，端末５あるいは後述するＷＡＮ（Wide Area Network）接続装置１３などと接続される。なお、図２中の網掛け部分で示す、スイッチ側ポート「０」，第１のポート群中のポート「Ａ０」，「Ａ３」，第２のポート群中のポート「Ｂ０」は、他の複合スイッチ装置２−２，２−３や、他のネットワークなどと接続されることがある。
【００３０】
上記複合スイッチ装置２では、接続切替部１２が、例えば、制御装置１からの指示に従って、あるいは、制御装置１によらずに、Ｒ４−１の第２のポート群「Ｂ０」〜「Ｂ６」と第１のポート群「Ａ０」〜「Ａ６」との接続を切り替える。
これにより、複合スイッチ装置２は、Ｒ４の第２のポート群のいずれかのポートから入力されるデータを、当該データに設定される宛先情報に基づいて、第２のポート群のいずれかのポートへ中継することができる。
【００３１】
（１．３）制御装置１の構成例
次に、制御装置１の構成例について図３を用いて説明する。
制御装置１は、ＳＷ３とＲ４とを制御する。図１に示す例では、制御装置１は、各複合スイッチ装置２における複数のＳＷ３及びＲ４を制御する。
このため、図３に示す制御装置１は、例示的に、ポート監視部６と、ポート状態情報格納部７と、電源制御部８と、複合スイッチ装置情報格納部９と、ポート割当制御部１０と、ポート割当情報格納部１１とをそなえる。
【００３２】
ポート監視部６は、各ＳＷ３における複数のスイッチ側ポートの使用状況をそれぞれ監視する。本例のポート監視部６は、Ｒ４を介してＳＷ３と接続され、ＳＷ３のスイッチ側ポート「０」〜「３」が稼働中か休止中かを監視するとともに、スイッチ側ポート「０」〜「３」の状態に関する情報（ポート状態情報）を収集する。なお、ポート監視部６は、スイッチ側ポートにおいてデータの入出力が所定の期間に検出されない場合、当該スイッチ側ポートが休止中であると判断することができる。一方、スイッチ側ポートにおいてデータの入出力が所定の期間に検出された場合、ポート監視部６は、当該スイッチ側ポートが稼動中であると判断することができる。また、ポート監視部６による監視は、例えば、定期あるいは不定期に行なうようにしてもよいし、常時行なうようにしてもよい。
【００３３】
ポート監視部６により収集された監視結果は、ポート状態情報としてポート状態情報格納部７へ格納される。
さらに、ポート監視部６は、例えば、ＳＷ３に設けられた管理用インタフェースなどを介して、ＳＷ３のスイッチ側ポートの状態と、ＳＷ３が有する宛先情報テーブルとを取得してもよい。ここで、宛先情報テーブルとは、例えば、入力データに設定された宛先情報と、当該宛先情報に応じたスイッチ側ポートとの対応関係を格納したテーブルのことをいう。
【００３４】
これにより、ポート監視部６は、ＳＷ３に接続される機器の情報や、ＳＷ３とＲ４を介して接続される各種装置の起動状態などに関する情報を取得することができる。
ポート状態情報格納部７は、ポート監視部６により収集されたポート状態情報を格納する。ポート状態情報には、例えば、ＳＷ３のスイッチ側ポート「０」〜「３」毎に、ポートのステータス，ポート監視部６による監視の対象かどうか，ポートが稼働中かどうか，ポートに接続される装置の宛先情報などが含まれる。なお、宛先情報は、前述のとおり、ＭＡＣアドレス、ＩＰアドレス、端末識別情報などであってもよい。
【００３５】
ポート割当制御部１０は、ポート状態情報に基づき、Ｒ４が有する第２のポート群と第１のポート群との接続を切り替え制御する。この切り替え制御は、例えば、ポート割当制御部１０が接続切替部１２に対して所定の制御メッセージを通知することで、接続切替部１２により実施されてもよい。
また、ポート割当制御部１０は、Ｒ４と接続され、Ｒ４の第１のポート群「Ａ０」〜「Ａ６」とスイッチ側ポート「０」〜「３」との接続関係、及び、第２のポート群「Ｂ０」〜「Ｂ６」と各種装置との接続関係を複合スイッチ装置情報として収集する。ポート割当制御部１０により収集された複合スイッチ装置情報は、複合スイッチ装置情報格納部９へ格納される。
【００３６】
複合スイッチ装置情報格納部９は、ポート割当制御部１０により収集される複合スイッチ装置情報を格納する。なお、複合スイッチ装置情報は、ポート割当制御部１０によりＲ４から収集されてもよいし、システム管理者などにより設定されて格納されてもよい。
さらに、ポート割当制御部１０は、Ｒ４の第１のポート群「Ａ０」〜「Ａ６」と第２のポート群「Ｂ０」〜「Ｂ６」との接続関係をポート割当情報としてＲ４から収集する。ポート割当制御部１０により収集されたポート割当情報は、ポート割当情報格納部１１へ格納される。
【００３７】
ポート割当情報格納部１１は、ポート割当制御部１０により収集されるポート割当情報を格納する。ポート割当情報には、例えば、Ｒ４毎に、第２のポート群「Ｂ０」〜「Ｂ６」と第１のポート群「Ａ０」〜「Ａ６」との接続関係や、当該接続関係が変更可能であるかどうかなどに関する情報が含まれる。なお、このポート割当情報は、ポート割当制御部１０により各Ｒ４から収集されてもよいし、システム管理者などにより設定されてもよい。
【００３８】
これにより、ポート割当制御部１０は、ポート監視部６による監視結果に基づき、各ＳＷ３における複数のスイッチ側ポート「０」〜「３」のうち使用中のポートに第１のポート群中のポートを経由して接続される第２のポート群「Ｂ０」〜「Ｂ６」中のポートが、複数のＳＷ３のうち少なくとも１つのＳＷ３にまとめて接続されるようにＲ４における第２のポート群「Ｂ０」〜「Ｂ６」と第１のポート群「Ａ０」〜「Ａ６」との接続を切り替え制御することができる。
【００３９】
また、電源制御部（電力制御部）８は、ＳＷ３への電力供給を制御する。
例えば、電源制御部８は、ポート割当制御部１０による切り替え制御が行なわれると、ポート割当制御部１０からポート割当変更に関する情報を受信し、当該情報に基づき、複数のスイッチ側ポートのいずれもが未使用となったＳＷ３への電力供給を停止する。なお、この電力供給の停止は、例えば、電源制御部８が電源１６を制御することにより行なわれてもよいし、電源制御部８が電源オフのコマンドをスイッチ装置３に通知することにより行なわれてもよい。
【００４０】
即ち、電源制御部８は、ポート割当制御部１０による切り替え制御により複数のスイッチ側ポート「０」〜「３」のいずれもが未使用となったＳＷ３への電力供給を停止する。なお、電力供給を停止されるＳＷ３は、ポート割当制御部１０による切り替え制御により使用中のポートがまとめて接続されたＳＷ３とは異なるＳＷ３である。
本例では、例えば、上記制御装置１が、各ＳＷ３における複数のスイッチ側ポートの使用状況をそれぞれ監視する。
【００４１】
そして、制御装置１は、当該監視結果に基づき、各ＳＷ３における複数のスイッチ側ポートのうち使用中のポートに接続される第２のポート群中のポートが、少なくとも１つのＳＷ３にまとめて接続されるようにＲ４における第２のポート群と第１のポート群との接続を切り替え制御する。
言い換えれば、制御装置１は、各ＳＷ３における複数のスイッチ側ポートの使用状況に基づき、Ｒ４におけるＳＷ３への接続を動的に変更することで、使用中のスイッチ側ポートをできるだけ少ない数のＳＷ３へまとめる。
【００４２】
さらに、制御装置１は、上記切り替え制御により複数のスイッチ側ポートのいずれもが未使用となったＳＷ３への電力供給を停止することにより、制御システム２０の消費電力を大幅に削減することが可能となる。
つまり、本例では、複数のスイッチ側ポートのいずれもが未使用となったＳＷ３の総消費電力を削減することができるので、例えば、ＳＷ３のスイッチ側ポート及び通信処理部１５の消費電力がＳＷ３の総消費電力に対して十分に小さいとはいえない場合でも、制御システム２０の消費電力を大幅に削減することが可能となる。
なお、Ｒ４には、例えば、接続切り替え時に電力が消費されるラッチングリレー回路を用いることができるので、Ｒ４の電力消費量は、ＳＷ３の電力消費量に比して小さい。そのため、Ｒ４での電力消費量を考慮しても、システム全体での消費電力量は大幅に削減されることとなる。
【００４３】
（１．４）制御システムの動作例
次に、制御システムの動作の一例について説明する。なお、以下の説明では、上記制御システム２０の一例としての制御システム３０を用いるが、本例は、制御システム２０や、少なくとも１つの複合スイッチ装置２と制御装置１とが接続された構成を有する制御システムなどに適用できることはいうまでもない。
【００４４】
（１．４．１）制御システムの構成例
図４は一実施形態に係る制御システム３０を含むネットワークの構成の一例を示す図である。
この図４に示すネットワークは、例示的に、制御装置１と複合スイッチ装置２−１，２−２とを有する制御システム３０と、端末５−１〜５−７と、ＷＡＮ接続装置１３と、ＷＡＮ１４とをそなえる。図４の制御システム３０は、ＷＡＮ接続装置１３を介して、ＷＡＮ１４と接続される。
【００４５】
なお、各複合スイッチ装置２は、図２を用いて上述したように、例示的に、複数のＳＷ３と、Ｒ４とをそなえる。また、制御装置１は、図３を用いて上述したように、例示的に、ポート監視部６と、ポート状態情報格納部７と、電源制御部８と、複合スイッチ装置情報格納部９と、ポート割当制御部１０と、ポート割当情報格納部１１とをそなえる。なお、ＳＷ３，Ｒ４，ポート監視部６，ポート状態情報格納部７，電源制御部８，複合スイッチ装置情報格納部９，ポート割当制御部１０，ポート割当情報格納部１１，及び端末５−１〜５−７は、前述の各構成と同様である。また、各ＳＷ３は、図示を省略する電源１６から、電力の供給を受けることができるものとする。
【００４６】
ここで、ＷＡＮ１４は、ＩＳＰ網や、インターネット網などの広域ネットワークである。
また、ＷＡＮ接続装置１３は、制御システム３０とＷＡＮ１４とを接続することにより、制御システム３０とＷＡＮ１４との間でデータを中継するネットワーク機器である。ＷＡＮ接続装置１３には、例えば、ルータ，ゲートウェイ装置，ブリッジ及びサーバなどが含まれる。
【００４７】
この図４に示す例では、制御装置１，複合スイッチ装置２−２及びＷＡＮ接続装置１３が複合スイッチ装置２−１を介して相互に接続される。また、端末５−１〜５−５が複合スイッチ装置２−２に接続されるとともに、端末５−６，５−７が複合スイッチ装置２−３に接続される。
さらに、複合スイッチ装置２−１では、ＳＷ３−１のスイッチ側ポート「０」，「１」，「２」，「３」と、Ｒ４−１のポート「Ａ０」，接続切替部１２，ポート「Ａ１」，「Ａ２」とが接続される。
【００４８】
また、ＳＷ３−２のスイッチ側ポート「０」，「１」，「２」，「３」と、Ｒ４−１のポート「Ａ３」，「Ａ４」，「Ａ５」，「Ａ６」とが接続される。
さらに、Ｒ４−１では、ポート「Ａ１」，「Ａ２」，「Ａ４」，「Ａ５」，「Ａ６」と、ポート「Ｂ１」，「Ｂ２」，「Ｂ４」，「Ｂ５」，「Ｂ６」とが接続され、ポート「Ａ０」及び「Ａ３」とポート「Ｂ０」とが接続される。
【００４９】
また、Ｒ４−１のポート「Ｂ０」，「Ｂ１」，「Ｂ２」，「Ｂ４」，「Ｂ５」と、ＷＡＮ接続装置１３，制御装置１，複合スイッチ装置２−２，端末５−６，端末５−７とが接続される。なお、図４に示す例では、Ｒ４−１の第２のポート群中のポート「Ｂ３」及び「Ｂ６」は端末５などと接続されておらず、データの入出力がない未使用の状態である。
一方、複合スイッチ装置２−２では、ＳＷ３−３のスイッチ側ポート「０」，「１」，「２」，「３」と、Ｒ４−２のポート「Ａ０」，接続切替部１２，ポート「Ａ１」，「Ａ２」とが接続される。
【００５０】
また、ＳＷ３−４のスイッチ側ポート「０」，「１」，「２」，「３」と、Ｒ４−２のポート「Ａ３」，「Ａ４」，「Ａ５」，「Ａ６」とが接続される。
さらに、Ｒ４−２では、ポート「Ａ１」，「Ａ２」，「Ａ４」，「Ａ５」，「Ａ６」と、ポート「Ｂ１」，「Ｂ２」，「Ｂ４」，「Ｂ５」，「Ｂ６」とが接続され、ポート「Ａ０」及び「Ａ３」とポート「Ｂ０」とが接続される。
【００５１】
また、Ｒ４−２のポート「Ｂ０」，「Ｂ１」，「Ｂ２」，「Ｂ４」，「Ｂ５」，「Ｂ６」と、複合スイッチ装置２−１，端末５−１，端末５−２，端末５−３，端末５−４，端末５−５とが接続される。なお、図４に示す例では、Ｒ４−２の第２のポート群中のポート「Ｂ３」は端末５などと接続されておらず、データの入出力がない未使用の状態である。
【００５２】
（１．４．２）制御システム３０の初期状態の一例
まず、上記制御システム３０の初期状態の一例として、各端末５が全て稼動している場合を考える。このような初期状態においては、ポート監視部６により、図５に例示するポート状態情報が収集される。
この図５に例示するように、ポート状態情報は、例えば、ＳＷ３の各スイッチ側ポートについて、「ステータス」，「監視対象（○／×）」，「稼動／休止（○／×）」，「宛先情報」などの情報を有する。
【００５３】
ここで、「ステータス」は、スイッチ側ポートの状態を表す。例えば、「ステータス」の欄には、ＳＷ３のスイッチ側ポートが他の複合スイッチ装置２やＷＡＮ接続装置１３などと接続中の状態であることを示す「他装置接続」、スイッチ側ポートが接続切替部１２と接続中の状態であることを示す「制御用」、スイッチ側ポートが端末５や制御装置１などと接続中の状態であることを示す「通常」、スイッチ側ポートがいずれの装置とも接続されておらず未使用の状態であることを示す「接続なし」のいずれかが設定される。
【００５４】
また、「監視対象」は、スイッチ側ポートがポート監視部６による監視の対象であるかどうかを表す。例えば、「監視対象」の欄には、ＳＷ３のスイッチ側ポートがポート監視部６による監視の対象であることを示す「○」、ＳＷ３のスイッチ側ポートがポート監視部６による監視の対象でないことを示す「×」のいずれかが設定される。
例えば、「ステータス」が「他装置接続」，「制御用」及び「接続なし」のいずれかであるスイッチ側ポートは、ポート接続変更の対象としないこともできる。この場合、これらのスイッチ側ポートは、ポート監視部６による監視の対象としなくてもよいので、当該スイッチ側ポートの「監視対象」の欄に「×」を設定するようにしてもよい。
【００５５】
一方、「ステータス」が「通常」であるスイッチ側ポートはポート監視部６による監視の対象となるので、当該スイッチ側ポートの「監視対象」の欄には「○」が設定される。
また、「稼動／休止」は、スイッチ側ポートの使用状況を表す。例えば、「稼動／休止」の欄には、ＳＷ３のスイッチ側ポートにデータの入出力があることを示す「○」、ＳＷ３のスイッチ側ポートにデータの入出力がないことを示す「×」のいずれかが設定される。なお、データの入出力の有無については、ポート監視部６が所定の期間内にデータの入出力を検出できたかどうかにより判断することができる。
【００５６】
例えば、「ステータス」が「接続なし」であるスイッチ側ポートは未使用の状態であるので、当該スイッチ側ポートの「稼動／休止」の欄には「×」が設定される。
また、「宛先情報」は、ＳＷ３のスイッチ側ポートがＲ４を経由して接続される宛先に関する情報を表す。例えば、「宛先情報」の欄には、ＳＷ３のスイッチ側ポートの接続先装置のＭＡＣアドレス、ＩＰアドレス、識別情報などが設定される。
【００５７】
また、制御システム３０の初期状態においては、図６及び図７に示す複合スイッチ装置情報がポート割当制御部１０により収集される。なお、図６はＲ４−１についての複合スイッチ装置情報の一例であり、図７はＲ４−２についての複合スイッチ装置情報の一例である。
図６に例示する複合スイッチ装置情報は、Ｒ４−１のポート「Ａ０」〜「Ａ２」とＳＷ３−１のスイッチ側ポート「０」，「２」，「３」とが接続され、Ｒ４−１のポート「Ａ３」〜「Ａ６」とＳＷ３−２のスイッチ側ポート「０」〜「３」とが接続されることを表す。
【００５８】
また、図６に例示する複合スイッチ装置情報は、Ｒ４−１のポート「Ｂ０」，「Ｂ１」，「Ｂ２」，「Ｂ４」，「Ｂ５」とＷＡＮ接続装置１３，制御装置１，複合スイッチ装置２−２，端末５−６，端末５−７とが接続されることを表す。
一方、図７に例示する複合スイッチ装置情報は、Ｒ４−２のポート「Ａ０」〜「Ａ２」とＳＷ３−３のスイッチ側ポート「０」，「２」，「３」とが接続され、Ｒ４−２のポート「Ａ３」〜「Ａ６」とＳＷ３−４のスイッチ側ポート「０」〜「３」とが接続されることを表す。
【００５９】
また、図７に例示する複合スイッチ装置情報は、Ｒ４−２のポート「Ｂ０」，「Ｂ１」，「Ｂ２」，「Ｂ４」，「Ｂ５」，「Ｂ６」と複合スイッチ装置２−１，端末５−１，端末５−２，端末５−３，端末５−４，端末５−５とが接続されることを表す。
さらに、制御システム３０の初期状態においては、図８及び図９に示すポート割当情報がポート割当制御部１０により収集される。なお、図８はＲ４−１についてのポート割当情報の一例であり、図９はＲ４−２についてのポート割当情報の一例である。
【００６０】
図８に例示するポート割当情報には、Ｒ４−１の第１ポート群と第２ポート群との接続関係並びに当該接続関係の変更の可否に関する情報が含まれる。また、図９に例示するポート割当情報には、Ｒ４−２の第１ポート群と第２ポート群との接続関係並びに当該接続関係の変更の可否に関する情報が含まれる。
例えば、「ステータス」が「他装置接続」であるスイッチ側ポートと接続された第１のポート群中のポート「Ｂ０」，「Ａ０」，「Ａ３」間の接続関係が変更されると、各装置間での通信ができなくなることがある。そのため、上記のポート「Ｂ０」，「Ａ０」，「Ａ３」については、「変更可否」の欄に接続関係の変更を禁止する「×」を設定するようにしてもよい。
【００６１】
一方、「ステータス」が「他装置接続」以外であるスイッチ側ポートと接続された第１のポート群中のポート「Ｂ１」〜「Ｂ６」を含む接続関係については、「変更可否」の欄に接続関係の変更を許容する「○」を設定することができる。
（１．４．３）ポート割当変更処理
次に、図１０に例示するように、制御システム３０において、端末５−１〜５−４が休止状態になった場合を考える。なお、休止状態とは、例えば、端末５の電源がオフにされた状態や、端末５が所定の時間操作されない状態などのことをいう。
【００６２】
端末５−１〜５−４が休止状態になると、端末５−１，５−２とＲ４−２を介して接続されたＳＷ３−３のスイッチ側ポート「２」，「３」、並びに、端末５−３，５−４とＲ４−２を介して接続されたＳＷ３−４のスイッチ側ポート「１」，「２」において、データ入出力がなくなる。
ポート監視部６は、例えば、所定の期間においてデータ入出力がないスイッチ側ポートを休止状態であると検出する。つまり、図１０に示す例では、ポート監視部６により、ＳＷ３−３のスイッチ側ポート「２」，「３」、並びに、ＳＷ３−４のスイッチ側ポート「１」，「２」が休止状態であると検出され、ポート割当制御部１０に当該検出結果が通知される。
【００６３】
そのため、ポート状態情報は、ポート監視部６及びポート割当制御部１０により、図５の例から図１１の例のように更新される。
図１１に示す例では、ＳＷ３−３のスイッチ側ポート「２」，「３」の「稼動／休止」欄が「×」に変更されるとともに、ＳＷ３−４のスイッチ側ポート「１」，「２」の「稼動／休止」欄が「×」に変更される。
【００６４】
また、ＳＷ３−１のスイッチ側ポート「３」の「宛先情報」欄が「ＳＷ３−３、ＳＷ３−４、Ｒ４−２、端末５−１、端末５−２、端末５−３、端末５−４、端末５−５」から「ＳＷ３−３、ＳＷ３−４、Ｒ４−２、端末５−５」に変更される。
さらに、ＳＷ３−３のスイッチ側ポート「０」の「宛先情報」欄が「ＷＡＮ接続装置１３、ＳＷ３−１、ＳＷ３−２、Ｒ４−１、制御装置１、端末５−６、端末５−７、端末５−３、端末５−４、端末５−５」から「ＷＡＮ接続装置１３、ＳＷ３−１、ＳＷ３−２、Ｒ４−１、制御装置１、端末５−６、端末５−７、端末５−５」に変更される。
【００６５】
また、ＳＷ３−４のスイッチ側ポート「０」の「宛先情報」欄が「ＷＡＮ接続装置１３、ＳＷ３−１、ＳＷ３−２、Ｒ４−１、制御装置１、端末５−６、端末５−７、端末５−１、端末５−２」から「ＷＡＮ接続装置１３、ＳＷ３−１、ＳＷ３−２、Ｒ４−１、制御装置１、端末５−６、端末５−７」に変更される。
次いで、ポート割当制御部１０は、例えば、図１２に示すフローチャートに従って、Ｒ４−２におけるポート割当変更処理を行なう。
【００６６】
まず、図１２に例示するように、ポート監視部６が、ＳＷ３のスイッチ側ポートの状態変化を検出し、その変化内容をポート割当制御部１０に通知する（ステップＳ１）。例えば、端末５−１〜５−４が休止状態となったことにより、ポート監視部６が、ＳＷ３−３のスイッチ側ポート「２」，「３」、並びに、ＳＷ３−４のスイッチ側ポート「１」，「２」が休止状態となったことを検出し、ポート割当制御部１０に当該検出結果が通知される。なお、この通知は、上記のように、更新されたポート状態情報により行なわれてもよい。
【００６７】
次に、ポート割当制御部１０が、ポート制御部６から通知されたスイッチ側ポートの状態を参照し、未使用のスイッチ側ポートの数「Ｎｓ（Ｎｓは０以上の整数）」を複合スイッチ装置２毎に取得する（ステップＳ２）。上記の例では、ポート割当制御部１０により、図１１に例示するポート状態情報のＳＷ３−３及びＳＷ３−４の「稼動／休止」欄に基づき、複合スイッチ装置２−２の「Ｎｓ」＝４が取得される。
【００６８】
また、ポート割当制御部１０は、複合スイッチ装置情報格納部９に格納される、複合スイッチ装置構成情報を参照する（ステップＳ３）。これにより、ポート割当制御部１０は、ＳＷ３毎のスイッチ側ポートの数を取得することができる。上記の例では、ポート割当制御部１０が、図１３に例示する複合スイッチ装置情報に基づき、「ＳＷ３のスイッチ側ポート数」＝４が取得される。なお、ステップＳ３の処理は、ステップＳ１及びＳ２の処理より先に行なわれてもよい。
【００６９】
そして、ポート割当制御部１０は、ステップＳ２にて取得した「Ｎｓ」とステップＳ３にて取得したスイッチ側ポートの数とをＳＷ３毎に比較する（ステップＳ４）。
上記比較の結果、「Ｎｓ」が各ＳＷ３のスイッチ側ポート数以上と判定されると（ステップＳ４のＹｅｓルート）、ポート割当制御部１０は、後述するポート割当変更処理を実施する（ステップＳ５）。
【００７０】
つまり、Ｎｓ≧「各ＳＷ３のスイッチ側ポート数」であれば、他のＳＷ３との接続用ポート（図１０中の網掛け部分のポート）以外を未使用としてもよい、即ち、電源オフ可能なＳＷ装置３があると判断してもよい。
また、上記ステップＳ４での判断条件は適宜変更することができる。例えば、各ＳＷ３でスイッチ側ポート数が異なる場合、ポート割当制御部１０は、例えば、「Ｎｓ」がいずれかのＳＷ装置３のスイッチ側ポート数以上であれば、ポート割当変更処理を行なうようにしてもよい。
【００７１】
この場合、少なくとも１台のＳＷ３へのポート接続を他のＳＷ３へ変更するようなポート割当変更処理が可能であるので、電源制御部８により、少なくとも１台のＳＷ３への電力供給を停止することができる。
また、上記の判断条件はあくまで一例であり、例えば、未使用となったスイッチ側ポートへの接続を少なくとも１つのＳＷ３へまとめることができれば、そのような他の条件を用いてもよい。
【００７２】
一方、上記比較の結果、「Ｎｓ」が各ＳＷ３のスイッチ側ポート数未満であると判定されると（ステップＳ４のＮｏルート）、ポート割当制御部１０は、ポート割当変更処理を行なわない（ステップＳ６）。
図１０に例示するように、複合スイッチ装置２−２において、「Ｎｓ」＝４であり、各ＳＷ３のスイッチ側ポート数＝４である場合、ポート割当制御部１０によりポート割当変更処理が実施される。
【００７３】
ここで、ポート割当変更処理の具体的内容について説明する。
まず、ポート割当制御部１０が、複合スイッチ装置２−２についてのポート状態情報及び複合スイッチ装置情報に基づき、未使用のスイッチ側ポートに関する情報を取得する。なお、当該情報には、未使用のスイッチ側ポートが属するＳＷ３及び当該スイッチ側ポートの番号などが含まれていてもよい。
【００７４】
次に、ポート割当制御部１０は、複合スイッチ装置２−２に関する複合スイッチ装置情報を参照し、未使用のスイッチ側ポートと接続された第１のポート群中のポート番号（図１３の網掛け部分参照）を取得する。
そして、ポート割当制御部１０は、図１３に例示する複合スイッチ装置情報に基づき、複合スイッチ装置２−２が有するＲ４−２の第１のポート郡「Ａ０」〜「Ａ６」の接続先を参照する。
【００７５】
次いで、ポート割当制御部１０は、図１１に例示するポート状態情報に基づき、前記接続先のスイッチ側ポートの「監視対象」欄及び「稼動／休止」欄の情報を取得する。
そして、ポート割当制御部１０は、図１３に例示する複合スイッチ装置情報及び図１１に例示するポート状態情報に基づき、図１４に例示するように、Ｒ４−２の第１のポート群「Ａ０」〜「Ａ６」と接続されるＳＷ３についての「監視対象」欄及び「稼動／休止」欄についての情報を取得する。
【００７６】
本例では、例えば、ポート割当制御部１０が、図１４に例示するテーブルに基づき、監視対象且つ休止中のＳＷ３−３のスイッチ側ポートと接続するＲ４−２の第１のポートが「Ａ１」であることを検出し、図１３に例示する複合スイッチ装置情報に基づき、Ｒ４−２の第１のポート「Ａ１」に接続するＳＷ３−３のスイッチ側ポートがポート「２」であることを検出する。
【００７７】
また、例えば、ポート割当制御部１０が、図１４に例示するテーブルに基づき、監視対象且つ稼動中のＳＷ３−４のスイッチ側ポートと接続するＲ４−２の第１のポートが「Ａ６」であることを検出し、図１３に例示する複合スイッチ装置情報に基づき、Ｒ４−２の第１のポート「Ａ６」に接続するＳＷ３−４のスイッチ側ポートがポート「３」であることを検出する。
【００７８】
そして、ポート割当制御部１０は、ＳＷ３−３の監視対象且つ休止中のスイッチ側ポート「２」と接続するＲ４−２の第１のポート「Ａ１」と、ＳＷ３−４の監視対象且つ稼動中のスイッチ側ポート「３」と接続するＲ４−２の第１のポート「Ａ６」との接続先の変更を決定する。なお、ポート割当制御部１０は、前記変更に先立って、第１のポート群中のポート「Ａ１」及び「Ａ６」が接続先を変更可能なポートであることを確認しておいてもよい。
【００７９】
次いで、ポート割当制御部１０は、Ｒ４−２のポート割当情報を参照し、図１５に例示するように、「Ａ１」と「Ａ６」とを入れ替えるとともに、Ｒ４−２での接続関係を変更することによりポート割当変更処理を行なう。
これにより、図１６に例示するように、Ｒ４−２のポート「Ａ１」の接続先が、稼働中の端末５−５と接続されるポート「Ｂ６」へ変更され、Ｒ４−２のポート「Ａ６」の接続先が、休止中の端末５−１と接続されるポート「Ｂ１」へ変更される。
【００８０】
以上のように、本例では、ポート割当制御部１０により、各ＳＷ３における複数のスイッチ側ポートのうち使用中のポートに第１のポート群中のポートを経由して接続される第２のポート群中のポートが、複数のＳＷ３のうち少なくとも１つのＳＷ３にまとめて接続されるようにＲ４における第２のポート群と第１のポート群との接続が切り替え制御される。
【００８１】
また、本例では、ポート割当制御部１０により、各ＳＷ３における複数のスイッチ側ポートのうち未使用のポートに第１のポート群中のポートを経由して接続される第２のポート群中のポートが、複数のスイッチ側ポートのいずれもが未使用となったＳＷ３にまとめて接続されるようにＲ４における第２のポート群と第１のポート群との接続が切り替え制御される。
【００８２】
さらに、上記ポート割当変更処理の際、ポート割当制御部１０は、ＳＷ３が有する、ＭＡＣアドレステーブルなどの、宛先情報テーブルを消去するようにしてもよい。なお、既述のとおり、宛先情報テーブルは、例えば、スイッチ側ポートとデータに設定される宛先情報との対応付けに関する情報であってもよい。
これにより、各ＳＷ３は、ポート割当変更処理に伴って変更されたポートの接続関係に従って、スイッチ側ポートと宛先情報との対応付けを作成しなおすことができるので、データの誤配を防止することが可能となる。
【００８３】
（１．４．４）ＳＷ３への電力供給の停止
次に、電源制御部８による電力供給の停止処理について説明する。
上記ポート割当変更処理により、ポート状態情報は、図１７に例示するように更新される。
その結果、ポート割当制御部１０は、更新されたポート状態情報から図１８に例示するような情報を抽出することができる。ポート割当制御部１０は、図１８に例示する情報に基づき、ＳＷ３−４のスイッチ側ポートのいずれもが未使用となっていることを検出し、ＳＷ３−４への電力供給を停止できると判断する。
【００８４】
ポート割当制御部１０は、電源制御部８に対し、ＳＷ３−４への電力供給の停止を指示し、当該指示を受けた電源制御部８は、例えば、電源１６を制御することにより、ＳＷ３−４への電力供給を停止する。
これにより、複合スイッチ装置２−２におけるポート接続状態は、図１９に示すようになる。この図１９に示すように、スイッチ側ポートのいずれもが未使用であるＳＷ３−４への電力供給が停止されるので、電力消費量を大幅に削減することが可能となる。
【００８５】
（１．４．５）監視用ポートの作成
これまでの処理により、複合スイッチ２−２の状態は、図１９のようになっている。即ち、休止状態の端末５−２がＳＷ３−３のスイッチ側ポート「３」へ接続され、休止状態の端末５−３，５−４，５−１がＳＷ３−４のスイッチ側ポート「１」，「２」，「３」へそれぞれ接続される。
【００８６】
ここで、休止状態の端末５−１〜５−４が再稼動した場合、当該端末５−１〜５−４がデータ通信を行なうことのできるよう、Ｒ４−２でのポート接続関係を切り替え制御することが考えられる。
そこで、本例では、まず、休止状態の端末５−１〜５−４が、再び稼動したかどうかを監視すべくＳＷ３に監視用ポートを作成（設定）する。なお、監視用ポートは、第２のポート群中のポートに第１のポート群中のポートを経由して接続されることによりデータの入出力の有無を監視するためにＳＷ３に設けられた監視用のポートである。
【００８７】
図２０に監視用ポートの作成処理の一例を示す。
まず、ポート監視部６が、ＳＷ３のスイッチ側ポートの状態変化を検出し、ポート割当制御部１０に通知する（ステップＳ７）。上記の例では、ポート監視部６は、端末５−１〜５−４が休止状態となったことにより、ＳＷ３−３のスイッチ側ポート「３」及びＳＷ３−４のスイッチ側ポート「１」〜「３」が休止状態となったことを検出し、ポート割当制御部１０に通知する。
【００８８】
次に、ポート割当制御部１０は、ポート監視部６により通知されたポート状態情報を参照し、監視対象且つ休止状態であるスイッチ側ポートを検出する（ステップＳ８）。上記の例では、ポート割当制御部１０は、監視対象且つ休止状態である、ＳＷ３−３のスイッチ側ポート「３」及びＳＷ３−４のスイッチ側ポート「１」〜「３」を検出する。
そして、ポート割当制御部１０は、複合スイッチ装置情報格納部９に格納される「複合スイッチ装置２の構成情報」を参照し、ステップＳ８にて検出したスイッチ側ポートに第１のポート群中のポートを経由して接続される第２のポート群中のポートを抽出する（ステップＳ９）。上記の例では、ポート割当制御部１０は、Ｒ４−２の第２のポート群中のポート「Ｂ１」，「Ｂ２」，「Ｂ４」及び「Ｂ５」を抽出する。
【００８９】
次いで、ポート割当制御部１０は、稼働中のＳＷ３のスイッチ側ポートのうちの１つを監視用ポートに決定する（ステップＳ１０）。上記の例では、ポート割当制御部１０は、稼働中のＳＷ３−３のスイッチ側ポート「３」を監視用ポートに決定することができる。なお、稼働中のＳＷ３−３のスイッチ側ポート「３」と接続されるＲ４−２のポート「Ａ２」のことを監視用ポートということもある。また、本例では、稼働中のＳＷ３におけるスイッチ側ポートと監視用ポートとが兼用される例について説明するが、ＳＷ３が監視用ポートをスイッチ側ポートとは別にそなえることもできる。
【００９０】
そして、ポート割当制御部１０は、ステップＳ９にて抽出したポートと接続されるＲ４のポートをステップＳ１０にて決定した監視用ポートに接続し（ステップＳ１１）、処理を終了する（ステップＳ１２）。上記の例では、ポート割当制御部１０は、Ｒ４−２の第２のポート群中のポート「Ｂ１」，「Ｂ２」，「Ｂ４」及び「Ｂ５」を監視用ポートに接続する。
【００９１】
以上の各処理により、Ｒ４−２のポート割当状態は、図２１のように変更される。
また、同様に、ポート割当制御部１０により、ポート状態情報は図２２のように更新される。この図２２に示す例においては、ＳＷ３−３のスイッチ側ポート「３」の「ステータス」欄に「監視用」が設定される。この「監視用」は、例えば、当該スイッチ側ポートが監視用ポートに設定されていることを表す。
【００９２】
さらに、上記監視用ポートへの接続変更の結果、複合スイッチ装置２−２のポート接続状態は、図２３に示すようになる。この図２３に例示するように、休止状態の端末５−１〜５−４がそれぞれ監視用ポートである、ＳＷ３−３のスイッチ側ポート「３」へＲ４−２を経由して接続される。
以上のように、本例では、ポート割当制御部１０により、少なくとも１つのＳＷ３が、データの入出力の有無を監視するための監視用ポートを有し、各ＳＷ３における複数のスイッチ側ポートのうち未使用のポートに第１のポート群中のポートを経由して接続される第２のポート群中のポートが、監視用ポートにまとめて接続されるようにＲ４における第２のポート群と第１のポート群との接続が切り替え制御される。
【００９３】
ここで、休止状態の端末５−１〜５−４のいずれかが再稼動した場合、監視用ポートには端末５−１〜５−４のいずれかからのデータが入力される。このデータには、例えば、送信元情報として端末５−１〜５−４のいずれかを示す情報が含まれている。そのため、ポート監視部６は、監視用ポートに入力されるデータに基づき、いずれの端末５−１〜５−４が再稼動したかどうかを検出することができる。
【００９４】
これにより、ポート状態監視部６は、監視用ポートの状態変化を監視することで、休止状態の端末５−１〜５−４のいずれかが再稼動したかどうかを検出することが可能となるので、監視処理を単純化することができる。
（１．４．６）休止状態の端末５の復帰時の処理
前述のように、休止状態の端末５が再稼動した場合、ポート監視部６により監視中の監視用ポートに、当該端末５の送信元情報が含まれたデータが入力されるので、ポート監視部６は、再稼動した端末５を識別することができる。
【００９５】
この場合、ポート監視部６は、再稼動した端末５の存在をポート割当制御部１０に通知し、当該通知を受けたポート割当制御部１０は、再稼動した端末５が再び監視用ポートではないスイッチ側ポートを利用してデータ通信を行なえるように、Ｒ４でのポート接続状態を変更するようにしてもよい。
そこで、図２４に休止状態の端末５が復帰した場合の処理の一例を示す。
【００９６】
まず、図２４に例示するように、ポート監視部６が、ＳＷ３のスイッチ側ポートの状態変化を検出し、ポート割当制御部１０に通知する（ステップＳ１３）。上記の例では、ポート監視部６により、監視用ポートであるＳＷ３−３のスイッチ側ポート「３」に、休止状態から再稼動した端末５−２からのデータ入力が検出され、ポート割当制御部１０に通知される。
【００９７】
次に、ポート割当制御部１０は、通知されたスイッチ側ポートの状態を参照し、監視用ポートにおいて通信を開始した端末５の情報を取得する（ステップＳ１４）。上記の例では、ポート割当制御部１０は、監視用ポートに入力されたデータに基づいて、再稼動した端末が端末５−２であることを検出する。なお、上述したように、ポート割当制御部１０は、ポート監視部６からの通知に基づいて、再稼動した端末が端末５−２であることを検出してもよい。
【００９８】
そして、ポート割当制御部１０は、稼働中のＳＷ３のスイッチ側ポートのうち、使用可能なスイッチ側ポートがあるかどうかを判定する（ステップＳ１５）。なお、使用可能なポートとは、例えば、「ステータス」が「通常」又は「接続なし」であり、且つ、休止状態である（「稼動／休止」欄が「×」）スイッチ側ポートのことをいう。
稼働中のＳＷ３に使用可能なスイッチ側ポートがあると判定された場合（ステップＳ１５のＹｅｓルート）、ポート割当制御部１０は、ステップＳ１５において検出したスイッチ側ポートと、ステップＳ１４において検出した端末５が接続されたＲ４におけるポートとを接続し（ステップＳ１６）、処理を終了する（ステップＳ１７）。
【００９９】
即ち、本例では、ポート監視部６が、監視用ポートの使用状況を監視し、監視結果に基づき、監視用ポートと第１のポート群中のポートを経由して接続される第２のポート群中のポートの使用開始を検出すると、ポート割当制御部１０が、使用開始されたポートが稼働中のＳＷ３のいずれかのスイッチ側ポートへ接続されるようにＲ４における第２のポート群と第１のポート群との接続を切り替え制御するようにしてもよい。
【０１００】
一方、稼働中のＳＷ３に使用可能なスイッチ側ポートがあると判定されない場合（ステップＳ１５のＮｏルート）、ポート割当制御部１０は、電源制御部８を制御することにより、休止中のＳＷ３の１つに電力供給を開始する制御を行なう（ステップＳ１８）。上記の例では、電源制御部８により、電源オフの状態であったＳＷ３−４への電力供給が開始され、電源オンとなる。
【０１０１】
即ち、本例では、ポート監視部６が、監視用ポートの使用状況を監視し、監視結果に基づき、監視用ポートと第１のポート群中のポートを経由して接続される第２のポート群中のポートの使用開始を検出すると、電源制御部８が、電力供給を停止したＳＷ３のうち少なくとも１つのＳＷ３への電力供給を開始し、ポート割当制御部１０が、使用開始されたポートが前記電力供給を開始された少なくとも１つのＳＷ３のいずれかのスイッチ側ポートへ接続されるようにＲ４における第２のポート群と第１のポート群との接続を切り替え制御するようにしてもよい。
【０１０２】
上記の例では、稼働中のＳＷ３−３に使用可能なスイッチ側ポートがないので、電源オフのＳＷ３−４への電力供給が再開される。
そして、ポート割当制御部１０は、電力供給を開始されたＳＷ３のスイッチ側ポートのうち、使用可能なスイッチ側ポートを選択し、当該選択したスイッチ側ポートと、ステップＳ１４において検出した端末５が接続されたＲ４におけるポートとを接続し（ステップＳ１９）、処理を終了する（ステップＳ１７）。上記の例では、ポート割当制御部１０は、電力供給を開始（再開）したＳＷ３−４のスイッチ側ポート「Ａ４」を選択し、ＳＷ３−４のスイッチ側ポート「Ａ４」と、再稼動した端末５−２が接続されるポート「Ｂ２」とを接続する。
【０１０３】
以上の各処理により、Ｒ４−２のポート割当状態は、図２５のように変更される。この図２５に例示するように、休止状態から再稼動した端末５−２と接続されるＲ４−２のポート「Ｂ２」が、電力供給を再開されたＳＷ３−４のスイッチ側ポート「１」と接続されるポート「Ａ４」と接続される。
また、上記ポート接続変更の結果、複合スイッチ装置２−２のポート接続状態は、図２６に示すようになる。
【０１０４】
以上のように、休止状態から復帰した端末５がある場合、ＳＷ３への電源供給及びＲ４でのポート接続変更処理を柔軟に行なうことができるので、様々な状況に応じた制御を可能とすることができる。
〔２〕その他
なお、上述した制御装置１，複合スイッチ装置２，ＳＷ３及びＲ４の各構成及び各処理は、必要に応じて取捨選択されてもよいし、適宜組み合わせられてもよい。
【０１０５】
例えば、上述した例では、複合スイッチ装置２が２台のＳＷ３を有する例について説明したが、複合スイッチ装置２がＳＷ３を３台以上有していても本発明を適用することができる。
また、各ＳＷ３が有するスイッチ側ポート数が異なる場合であっても本発明を適用することができる。
【０１０６】
さらに、上述した例では、休止状態の端末５が再稼動した場合、稼働中のＳＷ３に使用可能なスイッチ側ポートがあれば、再稼動した端末５がＲ４を介して当該スイッチ側ポートに接続されるようにＲ４における接続を切り替え制御したが、稼働中のＳＷ３に使用可能なスイッチ側ポートがある場合であっても、休止状態のＳＷ３への電力供給を開始するとともに、電力供給を開始されたＳＷ３のスイッチ側ポートへ再稼動した端末５を接続するようにＲ４における接続を切り替え制御してもよい。
【０１０７】
このようにすれば、使用可能なスイッチ側ポート数に余裕を持たせることができるので、複数の端末５が休止状態から復帰した場合であっても、正常なデータ通信を確保することが可能となる。なお、このような制御を行なうかどうかは、例えば、ポート監視部６が、稼働中のＳＷ３における使用可能なスイッチ側ポート数が所定の閾値以下であるかどうかに基づき、判断することができる。
【０１０８】
以上の実施形態及び変形例に関し、さらに以下の付記を開示する。
〔３〕付記
（付記１）
複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、
前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置と、
前記複数のスイッチ装置と前記中継装置とを制御する制御装置とをそなえ、
前記制御装置が、
前記の各スイッチ装置における複数のスイッチ側ポートの使用状況をそれぞれ監視するポート監視部と、
前記ポート監視部による監視結果に基づき、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御するポート割当制御部と、
前記ポート割当制御部による前記切り替え制御により前記複数のスイッチ側ポートのいずれもが未使用となった前記少なくとも１つのスイッチ装置への電力供給を停止する電力制御部とをそなえた、
ことを特徴とする、制御システム。
【０１０９】
（付記２）
前記ポート割当制御部が、
前記の各スイッチ装置における複数のスイッチ側ポートのうち使用中のポートに前記第１のポート群中のポートを経由して接続される前記第２のポート群中のポートが、前記複数のスイッチ装置のうち前記少なくとも１つのスイッチ装置とは異なる他のスイッチ装置にまとめて接続されるように前記中継装置における第２のポート群と第１のポート群との接続を切り替え制御する、
ことを特徴とする、付記１記載の制御システム。
【０１１０】
（付記３）
前記複数のスイッチ装置のうち前記少なくとも１つのスイッチ装置とは異なる他のスイッチ装置が、前記第２のポート群中のポートに前記第１のポート群中のポートを経由して接続されることにより前記データの入出力の有無を監視するための監視用ポートを有し、
前記ポート割当制御部が、
前記の各スイッチ装置における複数のスイッチ側ポートのうち未使用のポートに前記第１のポート群中のポートを経由して接続される前記第２のポート群中のポートが、前記監視用ポートにまとめて接続されるように前記中継装置における第２のポート群と第１のポート群との接続を切り替え制御する、
ことを特徴とする、付記１記載の制御システム。
【０１１１】
（付記４）
前記ポート監視部が、
前記監視用ポートの使用状況を監視し、当該監視結果に基づき、前記監視用ポートに前記第１のポート群中のポートを経由して接続される前記第２のポート群中のポートの使用開始を検出すると、
前記ポート割当制御部が、
前記使用開始されたポートが前記他のスイッチ装置のいずれかのスイッチ側ポートへ接続されるように前記中継装置における第２のポート群と第１のポート群との接続を切り替え制御する、
ことを特徴とする、付記３記載の制御システム。
【０１１２】
（付記５）
前記ポート監視部が、
前記監視用ポートの使用状況を監視し、当該監視結果に基づき、前記監視用ポートに前記第１のポート群中のポートを経由して接続される前記第２のポート群中のポートの使用開始を検出すると、
前記電力制御部が、
前記電力供給を停止した前記少なくとも１つのスイッチ装置への電力供給を開始し、
前記ポート割当制御部が、
前記使用開始されたポートが前記電力供給を開始された少なくとも１つのスイッチ装置のいずれかのスイッチ側ポートへ接続されるように前記中継装置における第２のポート群と第１のポート群との接続を切り替え制御する、
ことを特徴とする、付記３記載の制御システム。
【０１１３】
（付記６）
前記ポート割当制御部が、
前記中継装置における第２のポート群と第１のポート群との接続を切り替え制御する際、前記スイッチ装置が有する、前記スイッチ側ポートと前記宛先情報との対応付けに関する情報を消去する、
ことを特徴とする、付記１〜５のいずれか１項に記載の制御システム。
【０１１４】
（付記７）
複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置とをそなえた複合スイッチ装置を制御する制御装置であって、
前記の各スイッチ装置における複数のスイッチ側ポートの使用状況をそれぞれ監視するポート監視部と、
前記ポート監視部による監視結果に基づき、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御するポート割当制御部と、
前記ポート割当制御部による前記切り替え制御により前記複数のスイッチ側ポートのいずれもが未使用となった前記少なくとも１つのスイッチ装置への電力供給を停止する電力制御部とをそなえた、
ことを特徴とする、制御装置。
【０１１５】
（付記８）
前記ポート割当制御部が、
前記の各スイッチ装置における複数のスイッチ側ポートのうち使用中のポートに前記第１のポート群中のポートを経由して接続される前記第２のポート群中のポートが、前記複数のスイッチ装置のうち前記少なくとも１つのスイッチ装置とは異なる他のスイッチ装置にまとめて接続されるように前記中継装置における第２のポート群と第１のポート群との接続を切り替え制御する、
ことを特徴とする、付記７記載の制御装置。
【０１１６】
（付記９）
前記ポート割当制御部が、
前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、
ことを特徴とする、付記７記載の制御装置。
【０１１７】
（付記１０）
前記ポート監視部が、
前記監視用ポートの使用状況を監視し、当該監視結果に基づき、前記監視用ポートに前記第１のポート群中のポートを経由して接続される前記第２のポート群中のポートの使用開始を検出すると、
前記ポート割当制御部が、
前記使用開始されたポートが前記他のスイッチ装置のいずれかのスイッチ側ポートへ接続されるように前記中継装置における第２のポート群と第１のポート群との接続を切り替え制御する、
ことを特徴とする、付記９記載の制御装置。
【０１１８】
（付記１１）
前記ポート監視部が、
前記監視用ポートの使用状況を監視し、当該監視結果に基づき、前記監視用ポートに前記第１のポート群中のポートを経由して接続される前記第２のポート群中のポートの使用開始を検出すると、
前記電力制御部が、
前記電力供給を停止した前記少なくとも１つのスイッチ装置への電力供給を開始し、
前記ポート割当制御部が、
前記使用開始されたポートが前記電力供給を開始された少なくとも１つのスイッチ装置のいずれかのスイッチ側ポートへ接続されるように前記中継装置における第２のポート群と第１のポート群との接続を切り替え制御する、
ことを特徴とする、付記９記載の制御装置。
【０１１９】
（付記１２）
前記ポート割当制御部が、
前記中継装置における第２のポート群と第１のポート群との接続を切り替え制御する際、前記スイッチ装置が有する、前記スイッチ側ポートと前記宛先情報との対応付けに関する情報を消去する、
ことを特徴とする、付記７〜１１のいずれか１項に記載の制御装置。
【０１２０】
（付記１３）
複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、
前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置とをそなえ、
前記中継装置が、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御し、
前記切り替え制御により前記複数のスイッチ側ポートのいずれもが未使用となった前記少なくとも１つのスイッチ装置が、電力供給を停止される、
ことを特徴とする、複合スイッチ装置。
【０１２１】
（付記１４）
複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、
前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置と、
前記複数のスイッチ装置と前記中継装置とを制御する制御装置とをそなえた制御システムにおいて、
前記制御装置が、
前記の各スイッチ装置における複数のスイッチ側ポートの使用状況をそれぞれ監視し、
前記監視結果に基づき、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御し、
前記切り替え制御により前記複数のスイッチ側ポートのいずれもが未使用となった前記少なくとも１つのスイッチ装置への電力供給を停止する、
ことを特徴とする、制御方法。
【０１２２】
（付記１５）
前記制御装置が、
前記の各スイッチ装置における複数のスイッチ側ポートのうち使用中のポートに前記第１のポート群中のポートを経由して接続される前記第２のポート群中のポートが、前記複数のスイッチ装置のうち前記少なくとも１つのスイッチ装置とは異なる他のスイッチ装置にまとめて接続されるように前記中継装置における第２のポート群と第１のポート群との接続を切り替え制御する、
ことを特徴とする、付記１４記載の制御方法。
【０１２３】
（付記１６）
前記制御装置が、
前記の各スイッチ装置における複数のスイッチ側ポートのうち未使用のポートに前記第１のポート群中のポートを経由して接続される前記第２のポート群中のポートが、前記複数のスイッチ装置のうち前記少なくとも１つのスイッチ装置とは異なる他のスイッチ装置が有する、前記第２のポート群中のポートに前記第１のポート群中のポートを経由して接続されることにより前記データの入出力の有無を監視するための監視用ポートにまとめて接続されるように前記中継装置における第２のポート群と第１のポート群との接続を切り替え制御する、
ことを特徴とする、付記１４記載の制御方法。
【０１２４】
（付記１７）
前記制御装置が、
前記監視用ポートの使用状況を監視し、当該監視結果に基づき、前記監視用ポートに前記第１のポート群中のポートを経由して接続される前記第２のポート群中のポートの使用開始を検出すると、
前記使用開始されたポートが前記他のスイッチ装置のいずれかのスイッチ側ポートへ接続されるように前記中継装置における第２のポート群と第１のポート群との接続を切り替え制御する、
ことを特徴とする、付記１６記載の制御方法。
【０１２５】
（付記１８）
前記制御装置が、
前記監視用ポートの使用状況を監視し、当該監視結果に基づき、前記監視用ポートと前記第１のポート群中のポートを経由して接続される前記第２のポート群中のポートの使用開始を検出すると、
前記電力供給を停止した前記少なくとも１つのスイッチ装置への電力供給を開始し、
前記使用開始されたポートが前記電力供給を開始された少なくとも１つのスイッチ装置のいずれかのスイッチ側ポートへ接続されるように前記中継装置における第２のポート群と第１のポート群との接続を切り替え制御する、
ことを特徴とする、付記１６記載の制御方法。
【０１２６】
（付記１９）
前記制御装置が、
前記中継装置における第２のポート群と第１のポート群との接続を切り替え制御する際、前記スイッチ装置が有する、前記スイッチ側ポートと前記宛先情報との対応付けに関する情報を消去する、
ことを特徴とする、付記１４〜１８のいずれか１項に記載の制御方法。
【０１２７】
（付記２０）
複数のスイッチ側ポートと、前記複数のスイッチ側ポートのいずれかに入力されるデータを、当該データに設定された宛先情報に基づいて、前記複数のスイッチ側ポートのいずれかへ中継する通信処理部とをそれぞれそなえ、供給電力で作動する複数のスイッチ装置と、
前記の各スイッチ装置における複数のスイッチ側ポートとそれぞれ接続される第１のポート群と、前記第１のポート群と選択的に接続される第２のポート群とを有し、前記第２のポート群中のいずれかのポートに入力された前記データを前記第１のポート群中のいずれかのポートへ中継する中継装置とをそなえた制御システムにおいて、
前記中継装置が、前記の各スイッチ装置における複数のスイッチ側ポートのうち未使用のポートに前記第１のポート群中のポートを経由して接続される前記第２のポート群中のポートが、前記複数のスイッチ装置のうち少なくとも１つのスイッチ装置にまとめて接続されるように前記中継装置における第２のポート群と第１のポート群との接続を切り替え制御し、
前記切り替え制御により前記複数のスイッチ側ポートのいずれもが未使用となった前記少なくとも１つのスイッチ装置が、電力供給を停止される、
ことを特徴とする、制御方法。
【符号の説明】
【０１２８】
１  制御装置
２−１〜２−３  複合スイッチ装置
３−１〜３−６  スイッチ装置（ＳＷ）
４−１〜４−３  リレー装置（中継装置、Ｒ）
５−１〜５−９  端末
６  ポート監視部
７  ポート状態情報格納部
８  電源制御部（電力制御部）
９  複合スイッチ装置情報格納部
１０  ポート割当制御部
１１  ポート割当情報格納部
１２  接続切替部
１３  ＷＡＮ接続装置
１４  ＷＡＮ
１５−１〜１５−４  通信処理部
１６  電源
２０，３０  制御システム
【図１】
0005488087.tif 000002
【図２】
0005488087.tif 000003
【図３】
0005488087.tif 000004
【図４】
0005488087.tif 000005
【図５】
0005488087.tif 000006
【図６】
0005488087.tif 000007
【図７】
0005488087.tif 000008
【図８】
0005488087.tif 000009
【図９】
0005488087.tif 000010
【図１０】
0005488087.tif 000011
【図１１】
0005488087.tif 000012
【図１２】
0005488087.tif 000013
【図１３】
0005488087.tif 000014
【図１４】
0005488087.tif 000015
【図１５】
0005488087.tif 000016
【図１６】
0005488087.tif 000017
【図１７】
0005488087.tif 000018
【図１８】
0005488087.tif 000019
【図１９】
0005488087.tif 000020
【図２０】
0005488087.tif 000021
【図２１】
0005488087.tif 000022
【図２２】
0005488087.tif 000023
【図２３】
0005488087.tif 000024
【図２４】
0005488087.tif 000025
【図２５】
0005488087.tif 000026
【図２６】
0005488087.tif 000027